(57)【要約】【課題】帯状体の一方に対するバックルの留め付けを解く操作のために設けられる指掛け部分を、操作者が手探りで見つけ易く、また、この指掛け部分に深く指先を掛けなくても、この留め付けを解く操作を確実に行えるようにする。【解決手段】一対のサイドフレーム部３、３間に亘る第一クロスバー４及び第二クロスバー５と、第二クロスバー５からサイドフレーム部３の端部３０側に向けて突き出す舌片状をなす指掛け板部１０とを有している。指掛け板部１０におけるサイドフレーム部３の端部３０に向けられた板縁部１１のうち、少なくとも、サイドフレーム部３との連接側にある板縁部１２よりも前方にサイドフレーム部３の端部３０が位置されるようになっている。【選択図】図１
2005130925.tif 000002
【特許請求の範囲】
【請求項１】
二本の帯状体をつなぎ合わせるために用いられるバックルにおける指掛け部分側の構造であって、
一対のサイドフレーム部と、
この一対のサイドフレーム部間に亘る第一クロスバーと、
この第一クロスバーとサイドフレーム部の端部との間にあって一対のサイドフレーム部間に亘る第二クロスバーと、
第二クロスバーからサイドフレーム部の端部側に向けて突き出す舌片状をなす指掛け板部とを有していると共に、
バックルの背面側から一対のサイドフレーム部内に入れ込まれてバックルの前面側に一旦引き出された後、第一クロスバーと第二クロスバーとの間に通されてバックルの背面側に再び引き出されるようにして第一クロスバーに掛け回された二本の帯状体の一方に対する留め付けを、バックルの背面側から指掛け板部に指を掛け、このバックルにおけるこの指掛け板部の形成側を持ち上げる操作により解くようにしてあり、
しかも、指掛け板部におけるサイドフレーム部の端部に向けられた板縁部のうち、少なくとも、サイドフレーム部との連接側にある板縁部よりも前方にサイドフレーム部の端部が位置されるようになっていることを特徴とするバックルにおける指掛け部分側の構造。
【請求項２】
指掛け板部におけるサイドフレーム部の端部に向けられた板縁部が、この指掛け板部の中央側に向かうに連れて前方に突き出す山形状の輪郭を持つように形成されていることを特徴とする請求項１記載のバックルにおける指掛け部分側の構造。
【請求項３】
バックルの前面側及びバックルの背面側の双方において、指掛け板部の面よりも外側にサイドフレーム部の面が位置されるようにしてあることを特徴とする請求項１又は請求項２記載のバックルにおける指掛け部分側の構造。
【請求項４】
サイドフレーム部の端部が、指掛け板部におけるこのサイドフレーム部の端部に向けられた板縁部のどの箇所においても、この板縁部とほぼ同じ位置か、または、この板縁部よりも外側に位置されるようにしてあることを特徴とする請求項１、請求項２又は請求項３記載のバックルにおける指掛け部分側の構造。
【発明の詳細な説明】
【技術分野】
【０００１】
この発明は、二本の帯状体をつなぎ合わせるために用いられるバックルの一部の改良に関する。
【背景技術】
【０００２】
一対のサイドフレーム部の間に亘る四本のクロスバーを有し、全体として枠状をなすバックルとして、特許文献１および特許文献２に示されるものがある。これらのバックルにあっては、両端のクロスバー間にある二本のクロスバーのうちの一本に帯状体を掛け回し、かつ、この二本のクロスバーのうちの他の一本に帯状体を掛け回して、両帯状体をバックルを介してつなぎ合わせるようになっている。バックルの一端側には、指掛け板部が形成されており、掛け回された二本の帯状体の一方に対する留め付けを、この指掛け板部に指を引っかけてバックルのこの指掛け板部の形成側を持ち上げるように操作することにより解くことができるようになっている。
【０００３】
しかるに、従来のこれらのバックルの指掛け板部は、前記四本のクロスバーのうち、バックルの一端部側にある一つのクロスバーから側方に一体に突き出す板片状をなすに留まるものであったため、指掛け板部を手探りで探す場合、指掛け板部の突き出し縁部に指の先が触れてもこの縁部をなぞっただけではこの縁部が指掛け板部の縁部であるかどうかが触覚では認識し難く、また、指掛け板部に浅く指先を引っかけただけでは前記持ち上げ操作の過程で指掛け板部から指先が外れてしまい易いものであった。
【特許文献１】意匠登録第６７５３７１号公報
【特許文献２】意匠登録第９３８３９１号公報
【発明の開示】
【発明が解決しようとする課題】
【０００４】
この発明が解決しようとする主たる問題点は、この種のバックルにおける帯状体の一方に対するバックルの留め付けを解く操作のために設けられる指掛け部分を、操作者が手探りで見つけ易く、また、この指掛け部分に深く指先を掛けなくても、この留め付けを解く操作を確実に行えるようにする点にある。
【課題を解決するための手段】
【０００５】
前記問題点を解決するために、この発明にあっては、バックルにおける指掛け部分側の構造が、以下の（１）〜（４）の構成を備えたものとした。
（１）二本の帯状体をつなぎ合わせるために用いられるバックルにおける指掛け部分側の構造であって、
（２）一対のサイドフレーム部と、
この一対のサイドフレーム部間に亘る第一クロスバーと、
この第一クロスバーとサイドフレーム部の端部との間にあって一対のサイドフレーム部間に亘る第二クロスバーと、
第二クロスバーからサイドフレーム部の端部側に向けて突き出す舌片状をなす指掛け板部とを有していると共に、
（３）バックルの背面側から一対のサイドフレーム部内に入れ込まれてバックルの前面側に一旦引き出された後、第一クロスバーと第二クロスバーとの間に通されてバックルの背面側に再び引き出されるようにして第一クロスバーに掛け回された二本の帯状体の一方に対する留め付けを、バックルの背面側から指掛け板部に指を掛け、このバックルにおけるこの指掛け板部の形成側を持ち上げる操作により解くようにしてあり、
（４）しかも、指掛け板部におけるサイドフレーム部の端部に向けられた板縁部のうち、少なくとも、サイドフレーム部との連接側にある板縁部よりも前方にサイドフレーム部の端部が位置されるようになっている。
【０００６】
かかる構成によれば、帯状体の一方に対するバックルの留め付けを解くための前記操作をするにあたり、指掛け板部を指で探ってこれをなそうとする場合、この指掛け板部におけるサイドフレーム部の端部に向けられた板縁部を指先でなぞって行くと指先の側部がサイドフレーム部の内面に突き当たることから、こうした探る動作によって一回で指掛け板部を把握することができ、こうした探る動作を繰り返す必要がない。また、指掛け板部に指を引っ掛けた後のバックルを前記のように持ち上げる操作にあたってもこのように引っかけられた指先の両側にサイドフレームの内面が位置されることからこの持ち上げ操作の過程で指掛け板部から指が外れてしまい難くできる。特に、指掛け板部に浅く指先を掛けていてもこの指掛け板部から指を外れ難くすることができる。
【０００７】
かかる指掛け板部におけるサイドフレーム部の一端部に向けられた板縁部が、この指掛け板部の中央側に向かうに連れて前方に突き出す山形状の輪郭を持つように形成させておくこともできる。
【０００８】
このようにした場合、指掛け板部におけるサイドフレーム部の端部に向けられた板縁部を指先でなぞる動作を通じて、指掛け板部の中央を操作者に確実に認識させることができ、この認識に基づいて指掛け板部の中央に指を確実に引っかけさせるようにし向けることができる。
【０００９】
また、バックルの前面側及びバックルの背面側の双方において、指掛け板部の面よりも外側にサイドフレーム部の面が位置されるようにしておくこともできる。
【００１０】
このようにした場合、かかるサイドフレーム部によって指掛け板部を保護させることができ、バックルをその前面側あるいは背面側から踏みつけたりして場合であっても、かかる指掛け板部にできる限り破損などを生じさせないようにすることができる。
【００１１】
また、サイドフレーム部の端部が、指掛け板部におけるこのサイドフレーム部の端部に向けられた板縁部のどの箇所においても、この板縁部とほぼ同じ位置か、または、この板縁部よりも外側に位置されるようにしておくこともできる。
【００１２】
このようにした場合、かかるサイドフレーム部によって指掛け板部を保護させることができ、バックルに対し指掛け板部の突き出し側から外力が作用された場合であっても、かかる指掛け板部にできる限り破損などを生じさせないようにすることができる。
【発明の効果】
【００１３】
この発明によれば、二本の帯状体をつなぎ合わさせる機能を備えたバックルにおけるこれらの帯状体の一方に対するバックルの留め付けを解く操作のために設けられる指掛け部分を、操作者が手探りで見つけ易く、また、この指掛け部分に深く指先を掛けなくても、この留め付けを解く操作を確実に行なえるようにすることができる。
【発明を実施するための最良の形態】
【００１４】
以下、図１ないし図１０に基づいて、この発明を実施するための最良の形態について説明する。
【００１５】
なお、ここで図１ないし図８は、この発明にかかる構造を備えたバックルＲをそれぞれ表しており、また、図９は、かかるバックルＲを介して二本の帯状体Ｗ、Ｗをつなぎ合わせた様子を、また、図１０は、かかるバックルＲにおける指掛け部分１を操作して、このバックルＲとつなぎ合わさせた二本の帯状体Ｗ、Ｗの一方との留め付けを解いた様子をそれぞれ示している。
【００１６】
この実施の形態にかかる構造は、二本の帯状体Ｗ、Ｗをつなぎ合わせるために用いられるバックルＲの一部にかかるものである。より具体的には、かかる構造は、バックルＲを介して二本の帯状体Ｗ、Ｗをつなぎ合わせるこのバックルＲにおける指掛け部分１側の構造にかかるものである。
【００１７】
バックルＲとしては、二本の帯状体Ｗ、Ｗの通し部を二カ所備え、この二カ所の通し部にそれぞれ帯状体Ｗを通すことによりバックルＲを介してこの二本の帯状体Ｗ、Ｗをつなぎ合わせるタイプのもの、
二本の帯状体Ｗ、Ｗの一方が通される通し部を備えた雄バックルと、二本の通し部の他方が通される通し部を備えた雌バックルとからなり、この雄バックルと雌バックルとの掛合によって雄バックルの通し部に通された帯状体Ｗと雌バックルの通し部に通された帯状体Ｗとをつなぎ合わせるタイプのものなどが予定される。（このタイプのバックルＲには、典型的には、雄バックルと雌バックルとの掛合を解く操作方向が横方向となるサイドリリースタイプのバックル、雄バックルと雌バックルとの掛合を解く操作方向が正面方向となるフロントリリースタイプのバックルがある。）
【００１８】
図示の例は、このうちの、二本の帯状体Ｗ、Ｗの通し部２を二カ所備え、この二カ所の通し部２、２にそれぞれ帯状体Ｗを通すことによりバックルＲを介してこの二本の帯状体Ｗ、Ｗをつなぎ合わせるタイプのバックルＲである。
【００１９】
かかるバックルＲは、二カ所の通し部２、２の一方に通された二本の帯状体Ｗ、Ｗの一方に対する留め付けをバックルＲの一部に指先Ｆを掛け、この指先Ｆを掛けた側を持ち上げるように操作させることにより解くように構成されている。本明細書では、バックルＲにおけるこの指掛け操作のために指先Ｆが掛けられる側を指掛け部分１側と称している。
【００２０】
バックルＲにおけるかかる指掛け部分１側は、
（１）一対のサイドフレーム部３、３と、
（２）この一対のサイドフレーム部３、３間に亘る第一クロスバー４と、
（３）この第一クロスバー４とサイドフレーム部３の一端部３０との間にあって一対のサイドフレーム部３、３間に亘る第二クロスバー５と、
（４）第二クロスバー５からサイドフレーム部３の一端部３０側に向けて突き出す舌片状をなす指掛け板部１０とを有している。
【００２１】
そして、二本の帯状体Ｗ、Ｗの一方を、バックルＲの背面側Ｒｂから一対のサイドフレーム部３、３内に入れ込まれてバックルＲの前面側Ｒａに一旦引き出させた後、第一クロスバー４と第二クロスバー５との間に通してバックルＲの背面側Ｒｂに再び引き出すようにして第一クロスバー４に掛け回して、留め付けるようにしている。
【００２２】
図示の例では、一対のサイドフレーム部３、３の他端部３１側においてこの一対のサイドフレーム部３、３間に亘る第三クロスバー６と、この第三クロスバー６と第一クロスバー４との間にあって一対のサイドフレーム部３、３間に亘る第四クロスバー７とがさらに備えられており、図示のバックルＲは、この一対のサイドフレーム部３、３と第一〜第四クロスバー４〜７とによって、枠状をなすように構成されている。そして、二本の帯状体Ｗ、Ｗの他方を、バックルＲの背面側Ｒｂから一対のサイドフレーム部３、３内に入れ込まれてバックルＲの前面側Ｒａに一旦引き出させた後、第三クロスバー６と第四クロスバー７との間に通してバックルＲの背面側Ｒｂに再び引き出すようにして第四クロスバー７に掛け回して、留め付けるようにしている。
【００２３】
図示の例では、一対のサイドフレーム部３、３は、細長い板状をなすように構成されている。一対のサイドフレーム部３、３はそれぞれ、長さ方向に沿った一方の端面３２をこの長さ方向に沿った他方の端面３３側を湾曲内側とするように緩やかに湾曲させており、この長さ方向に沿った一方の端面３２側向けられた側がバックルＲの前面側Ｒａとなり、長さ方向に沿った他方の端面３３が向けられた側がバックルＲの背面側Ｒｂとなるようになっている。
【００２４】
図示の例では、第一クロスバー４は、その前面４０をサイドフレーム部３の長さ方向に沿った一方の端面３２と同面上に位置させると共に、第二クロスバー５の側に向けられた側面４１をバックルＲの厚さ方向に沿った面とし、この前面４０と側面４１との間に第一隅部４２を形成させている。それと共に、第一クロスバー４とサイドフレーム部３の長さ方向に沿った他方の端面３３との間には間隔が形成されている。
【００２５】
一方、第二クロスバー５は、その背面５０をサイドフレーム部３の長さ方向に沿った他方の端面３３と同面上に位置させると共に、この背面側Ｒｂにある第一クロスバー４の側に向けられた側面５１の一部をバックルＲの厚さ方向に沿った面とし、この背面５０と側面５１との間に第二隅部５２を形成させている。それと共に、第二クロスバー５とサイドフレーム部３の長さ方向に沿った一方の端面３２との間には間隔が形成されている。
【００２６】
第一クロスバー４と第二クロスバー５との間には、帯状体Ｗの一方を無理なく通し抜けさせる間隔が形成されているが、バックルＲの厚さ方向に沿った前記第一隅部４２を通る仮想の直線ｙと前記第二隅部５２を通る仮想の直線ｘとの間の間隔はこれより狭くなるようになっている。
【００２７】
前記のように第一クロスバー４に掛け回された帯状体Ｗの一方のうちの、バックルＲの背面に直接接する前側引き出し部分Ｗａは、これよりも外方に位置される背側引き出し部分Ｗｂにテンションが作用されている間は、背側引き出し部分Ｗｂに押されて第二隅部５２に強く押しつけられることとなり、これによりこの帯状体Ｗの一方に対してバックルＲが留め付けられることとなる。（図９）
【００２８】
この留め付け状態から、バックルＲの背面側Ｒｂから前記指掛け板部１０に指を掛け、このバックルＲにおけるこの指掛け板部１０の形成側を持ち上げる操作を行うと、背側引き出し部分Ｗｂによる前側引き出し部分Ｗａの押しつけがなくなり、帯状体Ｗの一方に対するバックルＲの留め付けが解除される。（図１０）この解除状態においてこの帯状体Ｗの一方をバックルＲ内から外し出せばバックルＲを介しての二本の帯状体Ｗ、Ｗのつなぎ合わせは解除され、また、前側引き出し部分Ｗａの引き出し量を調整した後、バックルＲの前記持ち上げ操作を止めれば、二本の帯状体Ｗ、Ｗの一方に対するバックルＲの留め付け位置を変えることができる。
【００２９】
そして、この実施の形態にあっては、かかる操作をなすための前記指掛け板部１０におけるサイドフレーム部３の端部３０に向けられた板縁部１１のうち、少なくとも、サイドフレーム部３との連接側にある板縁部１２よりも前方にサイドフレーム部３の端部３０が位置されるようになっている。
【００３０】
これにより、この実施の形態にあっては、帯状体Ｗの一方に対するバックルＲの留め付けを解くための前記操作をするにあたり、指掛け板部１０を指で探ってこれをなそうとする場合、この指掛け板部１０におけるサイドフレーム部３の端部３０（図示の例では一端部３０）に向けられた板縁部１１を指先Ｆでなぞって行くと指先Ｆの側部がサイドフレーム部３の内面３４、つまり、指掛け板部１０におけるサイドフレーム部３の端部３０に向けられた板縁部１１よりも前方に位置されるサイドフレーム部３の内面３４に突き当たることから、こうした探る動作によって一回で指掛け板部１０を把握することができ、こうした探る動作を繰り返す必要がない。また、指掛け板部１０に指を引っ掛けた後のバックルＲを前記のように持ち上げる操作にあたってもこのように引っかけられた指先Ｆの両側にサイドフレームの内面３４が位置されることからこの持ち上げ操作の過程で指掛け板部１０から指が外れてしまい難くできる。特に、指掛け板部１０に浅く指先Ｆを掛けていてもこの指掛け板部１０から指を外れ難くすることができる。
【００３１】
また、この実施の形態にあっては、かかる指掛け板部１０におけるサイドフレーム部３の一端部３０に向けられた板縁部１１が、この指掛け板部１０の中央側に向かうに連れて前方に突き出す山形状の輪郭を持つように形成されている。
【００３２】
これにより、この実施の形態にあっては、指掛け板部１０におけるサイドフレーム部３の端部３０に向けられた板縁部１１を指先Ｆでなぞる動作を通じて、指掛け板部１０の中央を操作者に確実に認識させることができ、この認識に基づいて指掛け板部１０の中央に指を確実に引っかけさせるようにし向けることができる。
【００３３】
また、この実施の形態にあっては、バックルＲの前面側Ｒａ及びバックルＲの背面側Ｒｂの双方において、指掛け板部１０の面１３よりも外側にサイドフレーム部３の面、すなわち、サイドフレーム部３の長さ方向に沿った一方端面３２、および、他方端面３３が位置されるようにしてある。
【００３４】
これにより、この実施の形態にあっては、かかるサイドフレーム部３によって指掛け板部１０を保護させることができ、バックルＲをその前面側Ｒａあるいは背面側Ｒｂから踏みつけたりして場合であっても、かかる指掛け板部１０にできる限り破損などを生じさせないようにすることができる。
【００３５】
また、この実施の形態にあっては、サイドフレーム部３の端部３０が、指掛け板部１０におけるこのサイドフレーム部３の端部３０に向けられた板縁部１１のどの箇所においても、この板縁部１１とほぼ同じ位置か、または、この板縁部１１よりも外側に位置されるようにしてある。
【００３６】
これにより、この実施の形態にあっては、かかるサイドフレーム部３によって指掛け板部１０を保護させることができ、バックルＲに対し指掛け板部１０の突き出し側から外力が作用された場合であっても、かかる指掛け板部１０にできる限り破損などを生じさせないようにすることができる。
【００３７】
図示の例にあっては、かかる指掛け板部１０は、第二クロスバー５におけるバックルＲの前面側Ｒａに位置される前部５３に一端を一体に連接させると共に、左右両端をサイドフレーム部３の内面に一体に連接させて、このサイドフレーム部３の一端部３０側に向けて延びるように形成されている。そして、かかる指掛け板部１０は、バックルＲの背面側Ｒｂに向けられた側を指掛け面１４とするようになっている。
【図面の簡単な説明】
【００３８】
【図１】バックルＲの斜視図
【図２】同平面図
【図３】同背面図
【図４】同正面図
【図５】同左側面図
【図６】同右側面図
【図７】図２におけるＡ−Ａ線断面図
【図８】図２におけるＢ−Ｂ線断面図
【図９】使用状態を示した断面図
【図１０】使用状態を示した断面図
【符号の説明】
【００３９】
Ｗ  帯状体
Ｒ  バックル
Ｒａ  前面側
Ｒｂ  背面側
３  サイドフレーム部
３０  端部
４  第一クロスバー
５  第二クロスバー
１  指掛け部分
１０  指掛け板部
１１、１２  板縁部
【図１】
2005130925.tif 000003
【図２】
2005130925.tif 000004
【図３】
2005130925.tif 000005
【図４】
2005130925.tif 000006
【図５】
2005130925.tif 000007
【図６】
2005130925.tif 000008
【図７】
2005130925.tif 000009
【図８】
2005130925.tif 000010
【図９】
2005130925.tif 000011
【図１０】
2005130925.tif 000012